(57)【要約】【課題】第１の終端装置と第２の終端装置との間で回線構成が異なる場合でも、第１の終端装置と第２の終端装置との間の信号の中継を確保できる通信装置等を提供する。【解決手段】通信装置は、受信部と、デスクランブル部と、検出部と、生成部と、スクランブル処理部と、出力部とを有する。受信部は、第１の回線から信号を受信する。デスクランブル部は、受信した信号にデスクランブル処理を行う。検出部は、デスクランブルされた信号から制御信号を検出する。生成部は、送信先の第２の回線の通信容量と第１の回線の通信容量との差分量に応じたアイドル信号を制御信号が検出された位置に挿入した信号を生成する。スクランブル処理部は、生成した信号にスクランブル処理を行う。出力部は、スクランブル処理した信号を第２の回線に出力する。【選択図】図５
2018157519.tif 000002
【特許請求の範囲】
【請求項１】
第１の回線から信号を受信する受信部と、
前記受信した信号にデスクランブル処理を行うデスクランブル部と、
前記デスクランブルされた信号から制御信号を検出する検出部と、
送信先の第２の回線の通信容量と前記第１の回線の通信容量との差分量に応じたアイドル信号を前記制御信号が検出された位置に挿入した信号を生成する生成部と、
前記生成した信号にスクランブル処理を行うスクランブル処理部と、
前記スクランブル処理した信号を前記第２の回線に出力する出力部と
を有することを特徴とする通信装置。
【請求項２】
前記生成部は、
前記アイドル信号を前記第１の回線の通信容量を挿入した制御信号に置き換え、当該第１の回線の通信容量が挿入された前記制御信号を前記ユーザ信号に付加して前記信号を生成することを特徴とする請求項１に記載の通信装置。
【請求項３】
前記第２の回線から信号を受信した場合に、前記第１の回線の通信容量に基づき、前記第２の回線から受信した前記信号から前記アイドル信号を削除し、削除後の信号を前記第１の回線の信号として出力する対向側出力部を有することを特徴とする請求項１又は２に記載の通信装置。
【請求項４】
前記生成部は、
帯域制御部のバッファ滞留量が一定量を超えた場合に、前記アイドル信号を、送信停止指示を挿入した制御信号に置き換え、送信停止指示が挿入された前記制御信号を前記ユーザ信号に付加して前記信号を生成することを特徴とする請求項１に記載の通信装置。
【請求項５】
前記第１の信号内のコントロールビットが一定区間以上連続することを検出する検出部を有し、
前記生成部は、
当該コントロールビットの位置に、前記第１の回線の通信容量、あるいは送信停止指示が挿入された前記制御信号を挿入した前記信号を生成することを特徴とする請求項２に記載の通信装置。
【請求項６】
前記第１の回線の信号からユーザ識別子毎の通信容量を抽出する抽出部を有し、
前記生成部は、
前記ユーザ識別子毎の通信容量を前記第１の回線の通信容量として前記アイドル信号に挿入することを特徴する請求項２に記載の通信装置。
【請求項７】
通信装置が、
第１の回線から信号を受信し、
前記受信した信号にデスクランブル処理をし、
前記デスクランブルされた信号から制御信号を検出し、
送信先の第２の回線の通信容量と前記第１の回線の通信容量との差分量に応じたアイドル信号を前記制御信号が検出された位置に挿入した信号を生成し、
前記生成した信号にスクランブル処理をし、
前記スクランブル処理した信号を前記第２の回線に出力する
処理を実行することを特徴とする信号中継方法。
【発明の詳細な説明】
【技術分野】
【０００１】
本発明は、通信装置及び信号中継方法に関する。
【背景技術】
【０００２】
近年、データセンタの普及により、大容量、かつ、長距離伝送を可能にする伝送技術として、トラフィックを１０Ｇ、２５Ｇ又は４０Ｇ単位で多重化し、１００Ｇのデータ伝送を可能にするＦｌｅｘＥ（Flex  Ethernet）技術がある。ＦｌｅｘＥ技術、http://www.oiforum.com/wp-content/uploads/OIF-FLEXE-01.0.pdfで公開されている。
【０００３】
図９は、通信システム１００の一例を示す説明図である。図９に示す通信システム１００は、第１の終端装置１０１と、第１の中継装置１０２と、第２の中継装置１０３と、第２の終端装置１０４とを有する。第１の終端装置１０１は、例えば、第１の中継装置１０２との間で３本の１００ＧＢＥ（Giga  Bit  Ethernet）回線１０５と接続する。第１の中継装置１０２は、例えば、３本の１００ＧＢＥ回線１０５と接続すると共に、第２の中継装置１０３との間で３本のＯＤＵ(Optical  Data  Unit)４回線１０６と接続するＯＴＮ(Optical  Transport  Network)装置である。更に、第２の中継装置１０３は、例えば、３本のＯＤＵ４回線１０６と接続すると共に、第２の終端装置１０４との間で３本の１００ＧＢＥ回線１０７と接続するＯＴＮ装置である。
【０００４】
第１の終端装置１０１は、複数のＦｌｅｘＥクライアントと３本の１００ＧＢＥ回線１０５との間のＦｌｅｘＥ信号処理を実行する第１のシム処理部１０１Ａを有する。第１の中継装置１０２は、例えば、１００ＧＢＥ回線１０５からの１００ＧＢＥ信号をＯＤＵ４信号にマッピングすると共に、ＯＤＵ４回線１０６からのＯＤＵ４信号を１００ＧＢＥ信号にデマッピングする変換部１０２Ａを有する。更に、第２の中継装置１０３は、例えば、ＯＤＵ４回線１０６からのＯＤＵ４信号を１００ＧＢＥ信号にデマッピングすると共に、１００ＧＢＥ回線１０７からの１００ＧＢＥ信号をＯＤＵ４信号にマッピングする変換部１０３Ａを有する。第２の終端装置１０４は、複数のＦｌｅｘＥクライアントと３本の１００ＧＢＥ回線１０７との間のＦｌｅｘＥ信号処理を実行する第２のシム処理部１０４Ａを有する。
【０００５】
第１の終端装置１０１は３本の１００ＧＢＥ回線１０５、第２の終端装置１０４も同様に３本の１００ＧＢＥ回線１０７と接続し、第１の終端装置１０１と第２の終端装置１０４との間は３本の１００ＧＢＥ回線と接続し、その回路構成が同じである。第１の終端装置１０１は、第１の中継装置１０２に対して３本の１００ＧＢＥ信号を出力する。更に、第１の中継装置１０２は、３本の１００ＧＢＥ信号を３本のＯＤＵ４信号に変換し、３本のＯＤＵ４信号を第２の中継装置１０３に出力する。更に、第２の中継装置１０２は、３本のＯＤＵ４信号を３本の１００ＧＢＥ信号に変換し、３本の１００ＧＢＥ信号を第２の終端装置１０４に出力する。その結果、第１の終端装置１０１は、第１の中継装置１０２及び第２の中継装置１０３を経由して第２の終端装置１０４との間で大容量のＦｌｅｘＥ信号を伝送できる。
【先行技術文献】
【特許文献】
【０００６】
【特許文献１】特開平９−３１９６７１号公報
【発明の概要】
【発明が解決しようとする課題】
【０００７】
しかしながら、例えば、図９において第１の終端装置１０１側が３本の１００ＧＢＥ回線、第２の終端装置１０４側が１本の４００ＧＢＥ回線と接続する場合、第１の終端装置１０１と第２の終端装置１０４との間の回線構成が異なる。従って、第２の中継装置１０４は、３本の１００ＧＢＥ信号と１本の４００ＧＢＥ信号との間で信号変換する機能がないため、第１の終端装置１０１と第２の終端装置１０４との間でＦｌｅｘＥ信号を中継できない。つまり、第１の終端装置１０１及び第２の終端装置１０４は、相互に対向側の通信容量を認識できないため、第１の終端装置１０１と第２の終端装置１０４との間のＦｌｅｘＥ信号を中継できない。
【０００８】
一つの側面では、第１の終端装置と第２の終端装置との間で回線構成が異なる場合でも、第１の終端装置と第２の終端装置との間の信号の中継を確保できる通信装置等を提供することを目的とする。
【課題を解決するための手段】
【０００９】
一つの案の通信装置は、通信装置は、受信部と、デスクランブル部と、検出部と、生成部と、スクランブル処理部と、出力部とを有する。受信部は、第１の回線から信号を受信する。デスクランブル部は、受信した信号にデスクランブル処理を行う。検出部は、デスクランブルされた信号から制御信号を検出する。生成部は、送信先の第２の回線の通信容量と第１の回線の通信容量との差分量に応じたアイドル信号を制御信号が検出された位置に挿入した信号を生成する。スクランブル処理部は、生成した信号にスクランブル処理を行う。出力部は、スクランブル処理した信号を第２の回線に出力する。
【発明の効果】
【００１０】
第１の終端装置と第２の終端装置との間で回線構成が異なる場合でも、第１の終端装置と第２の終端装置との間の信号の中継を確保できる。
【図面の簡単な説明】
【００１１】
【図１】図１は、実施例１の通信システムの一例を示す説明図である。
【図２】図２は、中継装置の機能構成の一例を示す説明図である。
【図３】図３は、帯域テーブルのテーブル構成の一例を示す説明図である。
【図４】図４は、中継装置の信号多重構成の一例を示す説明図である。
【図５】図５は、実施例２の中継装置の機能構成の一例を示す説明図である。
【図６】図６は、実施例２の中継装置の信号多重構成の一例を示す説明図である。
【図７】図７は、実施例３の中継装置の機能構成の一例を示す説明図である。
【図８】図８は、実施例４の通信システムの一例を示す説明図である。
【図９】図９は、通信システムの一例を示す説明図である。
【発明を実施するための形態】
【００１２】
以下、図面に基づいて、本願の開示する通信装置及び信号中継方法の実施例を詳細に説明する。尚、本実施例により、開示技術が限定されるものではない。また、以下に示す実施例は、矛盾を起こさない範囲で適宜組み合わせても良い。
【実施例１】
【００１３】
図１は、実施例１の通信システム１の一例を示す説明図である。図１に示す通信システム１は、第１の終端装置２と、ＯＴＮ(Optical  Transport  Network)装置３と、中継装置４と、第２の終端装置５とを有する。第１の終端装置２は、ＯＴＮ装置３との間をＦｌｅｘＥ（Flex  Ethernet）の３本の１００ＧＢＥ回線６で接続する。ＯＴＮ装置３は、中継装置４との間を３本のＯＤＵ４回線７で接続する。中継装置４は、第２の終端装置５との間をＦｌｅｘＥの１本の４００ＧＢＥ回線８で接続する。尚、第１の終端装置２は３本の１００ＧＢＥ回線６、第２の終端装置５は１本の４００ＧＢＥ回線８と接続するため、第１の終端装置２と第２の終端装置５との間でＦｌｅｘＥの回線構成が異なる。尚、ＦｌｅｘＥ回線は、例えば、クライアントを１ＦｌｅｘＥグループとして伝送するｕｎａｗａｒｅ方式とする。
【００１４】
第１の終端装置２は、第１のシム処理部２Ａを有する。第１のシム処理部２Ａは、複数のＦｌｅｘＥクライアントと３本の１００ＧＢＥ回線６との間の信号処理を司る信号処理部である。ＯＴＮ装置３は、１００ＧＢＥ回線６毎に変換部３Ａを有する。変換部３Ａは、例えば、１００ＧＢＥ回線６からの１００ＧＢＥ信号をＯＤＵ４信号にマッピングする共に、ＯＤＵ４回線７からのＯＤＵ４信号を１００ＧＢＥ信号にデマッピングする。第２の終端装置５は、第２の処理部５Ａを有する。中継装置４は、例えば、ＯＤＵ４回線７からの３本のＯＤＵ４信号から得た３００ＧＢＥ信号を１本の４００ＧＢＥ信号に変換する。更に、中継装置４は、４００ＧＢＥ回線８からの１本の４００ＧＢＥ信号を３００ＧＢＥ信号相当の３本のＯＤＵ４信号に変換する。ＦｌｅｘＥの構成上、図９で示す第２のシム処理部は、この中継装置４内のシム処理部４Ｘがその機能を担う。
【００１５】
図２は、中継装置４の機能構成の一例を示す説明図である。図２に示す中継装置４は、第１の受信部１１と、第１の変換部１２と、ＭＵＸ部１３と、ＦｌｅｘＥ信号処理部１４と、第１の送信部１５と、第２の受信部１６と、ＤＥＭＵＸ部１７と、第２の変換部１８と、第２の送信部１９とを有する。シム処理部４Ｘは、例えば、ＭＵＸ部１３、ＤＥＭＵＸ部１７及び抽出部２１を有する。
【００１６】
第１の受信部１１は、ＯＤＵ４回線７からのＯＤＵ４信号を受信する。第１の変換部１２は、ＯＤＵ４信号を１００ＧＢＥ信号にデマッピングする。ＭＵＸ部１３は、各第１の変換部１２からの３本の１００ＧＢＥ信号を多重化して３００ＧＢＥ信号を出力する。ＦｌｅｘＥ信号処理部１４は、ＭＵＸ部１３からの３００ＧＢＥ信号を４００ＧＢＥ信号に変換する。第１の送信部１５は、ＦｌｅｘＥ信号処理部１４からの４００ＧＢＥ信号を第２の終端装置５側の４００ＧＢＥ回線８に出力する。
【００１７】
第２の受信部１６は、４００ＧＢＥ回線８からの１本の４００ＧＢＥ信号を受信する。ＦｌｅｘＥ信号処理部１４は、後述する４００ＧＢＥ信号を３００ＧＢＥ信号に変換する。ＤＥＭＵＸ部１７は、３００ＧＢＥ信号を３本の１００ＧＢＥ信号に分離出力する。ＤＥＭＵＸ部１７は、３本の１００ＧＢＥ信号を各第２の変換部１８に出力する。各第２の変換部１８は、１００ＧＢＥ信号をＯＤＵ４信号にマッピングする。各第２の送信部１９は、第２の変換部１８にてマッピングされたＯＤＵ４信号をＯＤＵ４回線７に出力する。
【００１８】
ＦｌｅｘＥ信号処理部１４は、抽出部２１と、アイドル信号生成部２２と、デコード部２３と、モニタ部２４と、テーブル制御部２５と、帯域テーブル２６とを有する。ＦｌｅｘＥ信号処理部１４は、制御信号生成部２７と、エンコード部２８と、第１の多重部２９と、第２の多重部３０と、スクランブル処理部３１と、帯域制御部３２とを有する。
【００１９】
抽出部２１は、ＭＵＸ部１３からの３００ＧＢＥ信号のＦｌｅｘＥシム情報から物理ポート番号毎の通信容量を収集する。尚、ＦｌｅｘＥシム情報は、ＦｌｅｘＥ信号内に格納している。物理ポート番号は、例えば、各１００ＧＢＥ回線６に接続する物理ポートを識別するポート番号である。また、通信容量は、物理ポートを通過するＦｌｅｘＥ信号の通信許容帯域量である。アイドル信号生成部２２は、第１の終端装置２側の通信容量（３００ＧＢＥ）と、第２の終端装置５側の通信容量（４００ＧＢＥ）との差分量を算出する。更に、アイドル信号生成部２２は、差分量である、例えば、１００ＧＢＥ相当のアイドル信号を生成する。尚、アイドル信号は、６４Ｂ／６６Ｂ符号化後の空白の６６ＢのＦｌｅｘＥ信号である。このアイドル信号は、後述する多重部３０にて多重される。
【００２０】
デコード部２３は、ＭＵＸ部１３から６４Ｂ／６６Ｂ符号化後の６６Ｂの１００ＧＢＥ信号を６４Ｂの１００ＧＢＥ信号に復号化する。モニタ部２４は、６４Ｂの１００ＧＢＥ信号内のＭＡＣフレームからＶＬＡＮ（Virtual  Local  Area  Network）識別子を識別する。尚、ＶＬＡＮ識別子は、例えば、第１の終端装置２のＦｌｅｘＥクライアントを識別する識別子である。モニタ部２４は、ＶＬＡＮ識別子毎の信号をカウントする。尚、カウントは常時カウントしても良いが、ランダムに１カレンダスロットを抽出した結果でも良く、適宜変更可能である。なお、ＦｌｅｘＥクライアントが一つの場合、ＶＬＡＮ識別は不要にできる。
【００２１】
テーブル制御部２５は、物理ポート番号毎に、ＦｌｅｘＥ信号のＶＬＡＮ識別子単位の通信容量を帯域テーブル２６内に登録する。図３は、帯域テーブル２６のテーブル構成の一例を示す説明図である。図３に示す帯域テーブル２６は、ポート番号２６Ａと、通信容量２６Ｂと、ＶＬＡＮ識別子２６Ｃとを対応付けて管理する。ポート番号２６Ａは、ＦｌｅｘＥ信号を通過する物理ポートを識別する番号である。通信容量２６Ｂは、物理ポート内のＶＬＡＮ識別子毎の通信容量である。ＶＬＡＮ識別子２６Ｃは、ＶＬＡＮを識別する識別子である。ＦｌｅｘＥ信号処理部１４は、帯域テーブル２６を参照し、ＦｌｅｘＥ回線と接続する物理ポート毎のＶＬＡＮ識別子毎の通信容量を認識できる。
【００２２】
制御信号生成部２７は、帯域テーブル２６のテーブル内容に基づき、制御信号、例えば、ＯＡＭ(Operations,  Administration,  Maintenance)を生成する。制御信号は、例えば、ＯＡＭのＩＴＵ−Ｔ  Ｇ．８０１３／Ｙ．１７３１のＢＷ通知機能やＰａｕｓｅ機能である。制御信号は、例えば、送信元である第１の終端装置２側の通信容量を第２の終端装置５に通知するための情報である。尚、制御信号は、６４Ｂの制御信号である。エンコード部２８は、６４Ｂの制御信号を６６Ｂの制御信号に符号化する。
【００２３】
図４は、中継装置４の信号多重構成の一例を示す説明図である。第１の多重部２９は、エンコード部２８からの符号化後の６６Ｂの制御信号を入力すると共に、アイドル信号生成部２２からの１００ＧＢＥ相当の６６Ｂの空白のアイドル信号を入力する。図４に示す６６Ｂの制御信号は、ＯＡＭと、ＯＡＭの先頭に開始コードと、ＯＡＭの末尾に終了コードとを配置する。第１の多重部２９は、１００ＧＢＥ相当のアイドル信号の一部を同じサイズの制御信号に置き換える。第２の多重部３０は、ＭＵＸ部１３からの３００ＧＢＥ信号の６６Ｂのユーザ信号を入力すると共に、第１の多重部２９からの制御信号格納後の６６Ｂのアイドル信号を入力する。図４に示す６６Ｂのユーザ信号は、ユーザ信号と、ユーザ信号の先頭に開始コードと、ユーザ信号の末尾に終了コードとを配置する。そして、第２の多重部３０は、第１の多重部２９で生成した６６Ｂのアイドル信号および制御信号を６６Ｂのユーザ信号とユーザ信号の間に挿入する。その結果、第２の多重部３０は、６６Ｂの３００ＧＢＥのユーザ信号と、６６Ｂの１００ＧＢＥ相当のアイドル信号とを付加して６６Ｂの４００ＧＢＥ信号をスクランブル処理部３１に出力する。この機能では、確実にユーザ信号とユーザ信号の間にアイドルが挿入できるよう（フレームの途中でデータが無くなってしまわない様）、１つのユーザ信号(フレーム)単位にバッファするような仕組みが入る。スクランブル処理部３１は、第２の多重部３０からの４００ＧＢＥ信号にスクランブル処理を施し、スクランブル処理後の４００ＧＢＥ信号を第１の送信部１５に出力する。第１の送信部１５は、１本の４００ＧＢＥ信号を４００ＧＢＥ回線８に出力する。
【００２４】
第２の終端装置５内の第２の処理部５Ａは、中継装置４からの４００ＧＢＥ信号を受信した場合、４００ＧＢＥ信号内の１００ＧＢＥ相当のアイドル信号から制御信号を抽出する。第２の処理部５Ａは、制御信号に基づき、送信元である第１の終端装置２の通信容量が３本の１００ＧＢＥ回線、すなわち３００ＧＢＥの通信容量を認識する。その結果、第２の終端装置５は、第１の終端装置２に対してＦｌｅｘＥ信号を伝送する場合、３００ＧＢＥ信号に１００ＧＢＥ相当のアイドル信号を付加して４００ＧＢＥ信号を生成し、４００ＧＢＥ信号を４００ＧＢＥ回線８に出力する。
【００２５】
そして、中継装置４内の第２の受信部１６は、１本の４００ＧＢＥ回線８からの４００ＧＢＥ信号を受信する。帯域制御部３２は、送信元の第１の終端装置２の通信容量（３００ＧＢＥ）に基づき、４００ＧＢＥ信号から１００ＧＢＥ相当のアイドル信号を削除する。帯域制御部３２は、削除後の３００ＧＢＥ信号をＤＥＭＵＸ部１７に出力する。ＤＥＭＵＸ部１７は、ＦｌｅｘＥシム情報に基づき、３００ＧＢＥ信号から３本の１００ＧＢＥ信号に分離出力する。ＤＥＭＵＸ部１７は、各１００ＧＢＥ信号を第２の変換部１８に出力する。各第２の変換部１８は、ＤＥＭＵＸ部１７から１００ＧＢＥ信号をＯＤＵ４信号にマッピングする。各第２の送信部１９は、ＯＤＵ４信号をＯＤＵ４回線に出力する。その結果、中継装置４は、３本のＯＤＵ４信号をＯＴＮ装置３に出力する。ＯＴＮ装置３は、３本のＯＤＵ４信号を受信し、３本のＯＤＵ４信号を３本の１００ＧＢＥ信号に変換し、３本の１００ＧＢＥ信号を第１の終端装置２に出力する。第１の終端装置２は、３本の１００ＧＢＥ信号を受信し、３本の１００ＧＢＥ信号をＦｌｅｘＥクライアントに出力する。
【００２６】
実施例１の中継装置４は、３本の１００ＧＢＥ回線対応の３本のＯＤＵ４回線７から３００ＧＢＥ信号を受信した場合に、当該３００ＧＢＥ信号内のＦｌｅｘＥシム情報から送信元の通信容量（３００ＧＢＥ）を抽出する。中継装置４は、４００ＧＢＥ回線８の通信容量と３本のＯＤＵ４回線７の通信容量（３００ＧＢＥ）との差分量に応じた１００ＧＢＥ相当のアイドル信号を生成する。更に、中継装置４は、３００ＧＢＥ信号内の３００ＧＢＥ相当のユーザ信号に１００ＧＢＥ相当のアイドル信号を付加した１本の４００ＧＢＥ信号を生成する。更に、中継装置４は、１本の４００ＧＢＥ信号を４００ＧＢＥ回線８に出力する。その結果、中継装置４は、３本の１００ＧＢＥ回線６と１本の４００ＧＢＥ回線８との間で回線構成が異なる場合でも、第１の終端装置２と第２の終端装置５との間のＦｌｅｘＥ信号の中継を実現できる。
【００２７】
中継装置４は、１００ＧＢＥ相当のアイドル信号内に３本の１００ＧＢＥ回線の通信容量を挿入し、１００ＧＢＥ相当のアイドル信号をユーザ信号に付加して４００ＧＢＥ信号を第２の終端装置４に通知する。その結果、中継装置４は、送信元の通信容量である第１の終端装置２側の通信容量（３００ＧＢＥ）を第２の終端装置５に通知できる。
【００２８】
中継装置４は、４００ＧＢＥ回線８から４００ＧＢＥ信号を受信した場合に、第１の終端装置２側の３本の１００ＧＢＥ回線の通信容量に基づき、４００ＧＢＥ信号から１００ＧＢＥ相当のアイドル信号を削除し、３００ＧＢＥ信号をＤＥＭＵＸ部１７に出力する。その結果、中継装置４は、４００ＧＢＥ回線８からの４００ＧＢＥ信号を３本の１００ＧＢＥ回線６に中継出力できる。
【００２９】
中継装置４は、３００ＧＢＥ信号からＶＬＡＮ識別子毎の通信容量を抽出する。その結果、中継装置４は、ＶＬＡＮ識別子毎の通信容量に基づき、４００ＧＢＥ回線８に対してＶＬＡＮ構成に応じたＦｌｅｘＥ信号を出力できる。更に、中継装置４は、ＶＬＡＮ識別子毎の通信容量を１００ＧＢＥ回線６×３の通信容量としてアイドル信号に挿入する。その結果、中継装置４は、３本の１００ＧＢＥ回線６のＶＬＡＮ識別子毎の通信容量を第２の終端装置５に通知できる。
【００３０】
中継装置４は、ＭＵＸ部１３からの主信号である６６Ｂの３００ＧＢＥ信号を６４Ｂに復号化することなく、６６Ｂの３００ＧＢＥ信号を第２の多重部３０に出力する。その結果、中継装置４は、主信号を６４Ｂ復号化後、再度、６６Ｂ符号化する処理が不要になるため、ＩＥＥＥ８０２．３  Ｓｅｑｕｅｎｃｅ  ｏｒｄｅｒｅｄ  ｓｅｔを拡張して対応できる。
【００３１】
実施例１の中継装置４では、ユーザ信号の開始コード、終了コードを元に差分量相当のアイドル信号を付加したが、ユーザ信号のビット列内のコントロールビットを元に、ＩＦＧ（Inter  Frame  Gap）を判断しアイドル信号を挿入しても良く、その実施の形態につき、実施例２として以下に説明する。
【実施例２】
【００３２】
図５は、実施例２の中継装置４Ａの機能構成の一例を示す説明図である。尚、図３に示す中継装置４と同一の構成には同一符号を付すことで、その重複する構成及び動作の説明については省略する。
【００３３】
図５に示すＦｌｅｘＥ信号処理部１４Ａは、抽出部２１と、アイドル信号生成部２２と、デコード部２３と、モニタ部２４と、テーブル制御部２５と、帯域テーブル２６と、制御信号生成部２７と、エンコード部２８と、帯域制御部３２とを有する。ＦｌｅｘＥ信号処理部１４Ａは、第１のスクランブル処理部３３と、第２のスクランブル処理部３４と、検出部３５と、第３の多重部３６とを有する。
【００３４】
第２のスクランブル処理部３４は、エンコード部２８からの６６Ｂの制御信号にスクランブル処理を実行し、スクランブル処理後の制御信号を第３の多重部３６に入力する。アイドル信号生成部２２は、差分量相当の１００ＧＢＥのアイドル信号を第３の多重部３６に入力する。検出部３５は、３００ＧＢＥ信号からＩＦＧを検出する。検出部３５は、スクランブルされた６６Ｂの３００ＧＢＥ信号であるため、６６Ｂ列の内、先頭の“０１”又は“１０”以外は識別できないため、フレームの開始コード、終了コードが識別できない。そこで、コントロール信号が一定区間以上連続することを検出し、ＭＡＣフレーム間のＩＦＧであると判断する。図６は、実施例２の中継装置４Ａの信号多重構成の一例を示す説明図である。第３の多重部３６は、アイドル信号内に制御信号を格納する。尚、図６に示す制御信号は、ＯＡＭと、ＯＡＭの先頭に開始コードと、ＯＡＭの末尾に終了コードとを有する。更に、第３の多重部３６は、制御信号格納後の１００ＧＢＥ相当のアイドル信号を３００ＧＢＥ信号のＩＦＧ、すなわち３００ＧＢＥ信号に存在するアイドル信号の存在する位置に挿入する。このことで、第３の多重部３６は、１００ＧＢＥ相当のアイドル信号及び制御信号を３００ＧＢＥ信号に挿入することが可能になるので、４００ＧＢＥ信号として４００ＧＢＥ回線８に出力することができる。また、この様な信号であっても受信側、すなわち図１に示す第２の終端装置５は連続されたアイドルをドロップすることで、ユーザ信号並びに制御信号を復元することが可能になる。
【００３５】
実施例２の中継装置４Ａは、３００ＧＢＥ信号内のＩＦＧを検出し、当該ＩＦＧの位置に、３本の１００ＧＢＥ回線６の通信容量が挿入されたアイドル信号を挿入して４００ＧＢＥ信号を生成する。その結果、中継装置４Ａは、アイドル信号を簡単に挿入できる。
【００３６】
中継装置４Ａは、スクランブル処理された３００ＧＢＥ信号をデスクランブル処理せず、３００ＧＢＥ信号のビット列から６６Ｂ信号が持つコントロールビットの付加信号のみでＩＦＧを検出する。その結果、中継装置４Ａは、ビット列からＩＦＧを簡単に検出できる。
【００３７】
尚、上記実施例の中継装置４Ａでは、送信元の１００ＧＢＥ回線６及び送信先の４００ＧＢＥ回線８の通信容量を信号から直接検出したが、送信元の回線の通信容量及び送信先の回線の通信容量を事前に記憶しておいても良い。
【００３８】
尚、実施例１の中継装置４では、第２の終端装置５からの４００ＧＢＥ信号を受信した場合、４００ＧＢＥ信号から１００ＧＢＥ相当のアイドル信号を削除したが、これに限定されるものではなく、適宜変更可能である。尚、実施例１の中継装置４と同一の構成には同一符号を付すことで、その重複する構成及び動作の説明については省略する。
【実施例３】
【００３９】
図７は、実施例３の中継装置４Ｂの機能構成の一例を示す説明図である。図７に示すＦｌｅｘＥ信号処理部１４Ｂは、抽出部２１、アイドル信号生成部２２、デコード部２３、モニタ部２４、テーブル制御部２５、帯域テーブル２６、制御信号生成部２７、エンコード部２８を有する。ＦｌｅｘＥ信号処理部１４Ｂは、第１の多重部２９、第２の多重部３０及びスクランブル処理部３１を有する。更に、ＦｌｅｘＥ信号処理部１４Ｂは、デコード部４１と、ＶＬＡＮ識別部４２と、第１のセレクタ４３と、第１の帯域制御部４４と、第２の帯域制御部４５と、第２のセレクタ４６とを有する。
【００４０】
デコード部４１は、第２の受信部１６からの６６Ｂの４００ＧＢＥ信号を６４Ｂの４００ＧＢＥ信号に復号化する。ＶＬＡＮ識別部４２は、６４Ｂの４００ＧＢＥ信号のＭＡＣフレームからＶＬＡＮ識別子を識別する。第１のセレクタ４３は、セレクタ信号に応じて、６４ＢのＦｌｅｘＥ信号（４００ＧＢＥ信号）を第１の帯域制御部４４又は第２の帯域制御部４５に入力する。尚、セレクタ信号は、設定に応じて、第１の帯域制御部４４又は第２の帯域制御部４５の入力を選択する信号である。
【００４１】
第１の帯域制御部４４は、４００ＧＢＥ信号から１００ＧＢＥ相当のアイドル信号を除去する。第１の帯域制御部４４は、アイドル信号除去後の３００ＧＢＥ信号を第２のセレクタ４６に入力する。
【００４２】
第２の帯域制御部４５は、ＶＬＡＮ識別部４２の識別結果に基づき、４００ＧＢＥ信号からＶＬＡＮ識別子毎のＦｌｅｘＥ信号を抽出する。第２の帯域制御部４５は、ＶＬＡＮ識別子毎のＦｌｅｘＥ信号を第２のセレクタ４６に入力する。尚、ＶＬＡＮ識別子毎のＦｌｅｘＥ信号は３００ＧＢＥ信号である。第２のセレクタ４６は、セレクタ信号に応じて第１の帯域制御部４４又は第２の帯域制御部４５からの３００ＧＢＥ信号をＤＥＭＵＸ部１７に出力する。尚、セレクタ信号は、設定に応じて、第１の帯域制御部４４又は第２の帯域制御部４５の出力を選択する信号である。
【００４３】
中継装置４Ｂは、セレクタ信号に応じて、第１の帯域制御部４４の入出力を選択した場合、第１の帯域制御部４４が４００ＧＢＥ信号から１００ＧＢＥ相当のアイドル信号を削除し、削除後の３００ＧＢＥ信号をＤＥＭＵＸ部１７に出力できる。中継装置４Ｂは、セレクタ信号に応じて第２の帯域制御部４５の入出力を選択した場合、第２の帯域制御部４５が４００ＧＢＥ信号からＶＬＡＮ識別子毎の通信容量を抽出し、１００ＧＢＥのアイドル信号を除く、３００ＧＢＥ信号をＤＥＭＵＸ部１７に出力できる。
【００４４】
尚、図１に示す通信システム１は、第１の終端装置２と、ＯＴＮ装置３、中継装置４と、第２の終端装置５とを有する場合を例示したが、ＯＴＮ装置３を経由しなくても良く、適宜変更可能であるため、その実施の形態につき、実施例４として説明する。
【実施例４】
【００４５】
図８は、実施例４の通信システム１Ａの一例を示す説明図である。実施例１の通信システム１と同一の構成には同一符号を付すことで、その構成及び動作の説明については省略する。図８に示す通信システム１Ａは、第１の終端装置２と、中継装置４Ｃと、第２の終端装置とを有する。第１の終端装置２と中継装置４Ｃとの間は３本の１００ＧＢＥ回線６で接続する。中継装置４Ｃと第２の終端装置５との間は１本の４００ＧＢＥ回線８で接続する。
【００４６】
中継装置４Ｃは、第１の変換部１２及び第２の変換部１８がなく、第１の受信部１１とＭＵＸ部１３との間を直接接続するものとする。ＭＵＸ部１３は、各第１の受信部１１で受信した３本の１００ＧＢＥ信号をＭＵＸ部１３に入力する。また、中継装置４Ｃは、ＤＥＭＵＸ部１７と第２の受信部１６との間を直接接続するものとする。ＤＭＵＸ部１７は、帯域制御部３２からの３００ＧＢＥ信号を１００ＧＢＥ信号に分離して各第２の送信部１９に出力する。
【００４７】
中継装置４Ｃは、３本の１００ＧＢＥ回線６から３００ＧＢＥ信号を受信した場合に、当該３００ＧＢＥ信号内のＦｌｅｘＥシム情報から送信元の通信容量（３００ＧＢＥ）を抽出する。中継装置４は、４００ＧＢＥ回線８の通信容量と３本の１００ＧＢＥ回線６の通信容量との差分量に応じた１００ＧＢＥ相当のアイドル信号を生成する。更に、中継装置４は、３００ＧＢＥ信号内の３００ＧＢＥ相当のユーザ信号に１００ＧＢＥ相当のアイドル信号を付加した１本の４００ＧＢＥ信号を生成する。更に、中継装置４は、１本の４００ＧＢＥ信号を４００ＧＢＥ回線８に出力する。その結果、中継装置４は、３本の１００ＧＢＥ回線６と１本の４００ＧＢＥ回線８との間で回線構成が異なる場合でも、３本の１００ＧＢＥ回線６と４００ＧＢＥ回線８との間のＦｌｅｘＥ信号の中継を実現できる。
【００４８】
また、図示した各部の各構成要素は、必ずしも物理的に図示の如く構成されていることを要しない。すなわち、各部の分散・統合の具体的形態は図示のものに限られず、その全部又は一部を、各種の負荷や使用状況等に応じて、任意の単位で機能的又は物理的に分散・統合して構成することができる。
【００４９】
更に、各装置で行われる各種処理機能は、ＣＰＵ（Central  Processing  Unit）（又はＭＰＵ（Micro  Processing  Unit）、ＭＣＵ（Micro  Controller  Unit）等のマイクロ・コンピュータ）上で、その全部又は任意の一部を実行するようにしても良い。また、各種処理機能は、ＣＰＵ（又はＭＰＵ、ＭＣＵ等のマイクロ・コンピュータ）で解析実行するプログラム上、又はワイヤードロジックによるハードウェア上で、その全部又は任意の一部を実行するようにしても良いことは言うまでもない。
【符号の説明】
【００５０】
１  通信システム
２  第１の終端装置
４  中継装置
４Ａ  中継装置
４Ｂ  中継装置
４Ｃ  中継装置
５  第２の終端装置
６  １００ＧＢＥ回線
８  ４００ＧＢＥ回線
１５  第１の送信部
１９  第２の送信部
２１  抽出部
２２  アイドル信号生成部
２９  第１の多重部
３０  第２の多重部
３５  検出部
【図１】
2018157519.tif 000003
【図２】
2018157519.tif 000004
【図３】
2018157519.tif 000005
【図４】
2018157519.tif 000006
【図５】
2018157519.tif 000007
【図６】
2018157519.tif 000008
【図７】
2018157519.tif 000009
【図８】
2018157519.tif 000010
【図９】
2018157519.tif 000011